【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
内部にガスが発生し、高温になるとガスの発生が盛んになってその発生したガスにより密閉容器内の圧力が上昇する密閉容器に用いられ、前記密閉容器内の圧力が上昇する過程で前記ガスを前記密閉容器外に排出させる通気性パッキングであって、前記通気性パッキングは上面と下面とが連通して水分およびガスが透過する素材でできたガス透過基材の内部に低融点素子を分散させて、前記低融点素子により水分およびガスを透過させないようにするとともに前記低融点素子を融点以上の温度で溶融させてガスの圧力により前記ガス透過基材の上面と下面とが連通してガスを透過させるガスバイパス路をガス透過基材の内部に発生させてなり、通気孔を有する密閉容器本体の内側に前記通気性パッキングを配設して、前記低融点素子を溶融させないで前記通気孔を閉塞させる状態と前記ガスバイパス路の発生により前記通気孔を開放させる状態との機能を備えたことを特徴とする通気性パッキング。
【請求項２】
前記ガス透過基材の素材は不織布であることを特徴とする請求項１に記載の通気性パッキング。
【手続補正２】
【補正対象書類名】明細書
【補正対象項目名】全文
【補正方法】変更
【補正の内容】
【発明の詳細な説明】
【発明の名称】通気性パッキング
【技術分野】
【０００１】本発明は、水分を透過させにくくガスを透過させやすくする通気性パッキングに関する。
【背景技術】
【０００２】内部にガスが発生し、高温になるとガスの発生が盛んになってその発生したガスにより密閉容器内の圧力が上昇する密閉容器にあっては、密閉容器内の圧力により密閉容器が膨張し、密閉容器が破裂することがある。このような内部にガスが発生し、密閉容器が高温になるとガスの発生が盛んになってその発生したガスにより密閉容器内の圧力が上昇する密閉容器として、例えば、電解液を有するコンデンサやリチウム電池などの密閉型電気化学デバイスにあっては、電解液が密閉容器外に漏れ出ないように密閉されているので、充放電サイクルを繰り返したり、高温で放置したり、短絡・過充電・逆充電などにより電解液が分解されて、その密閉容器内で水素ガスや炭酸ガスなどのガスが発生し、そのガスが密閉容器内に蓄積されることにより急激に内圧が上昇して、その密閉容器が膨張したり、破裂したりするおそれがあるので、発生したガスが密閉容器内に蓄積しすぎないようにその発生したガスを適宜、密閉容器外に排出する通気性パッキングが望まれている。また、電解液の代わりに固体電解質を密閉容器に密閉収容したリチウム電池にあっても、密閉容器は外部からの水分およびガスを透過させないようにしているので、密閉容器内の固体電解質に含まれる溶媒のガスが発生してそのガスが密閉容器内に蓄積されることにより急激に内圧が上昇して、その密閉容器が膨張したり、破裂したりするおそれがあるので、発生したガスが密閉容器内に蓄積しすぎないようにその発生したガスを適宜、密閉容器外に排出する通気性パッキングが望まれている。【０００３】ガスが発生する液体又は固体を内容物とする容器の破裂防止に有効であり、しかも容器が転倒して液体である内容物により濡らされても非透液性および通気性が長期にわたって損なわれず、且つ内容物が洩れ出すことのない通気性パッキングとしては、特許文献１にて、極限粘度が３ｄｌ／ｇ以上を有するポリオレフィンからなる微多孔フィルムを、気体の通路を形成したポリオレフィンからなるパッキング基材の少なくとも片面に貼合せて、ガスが発生する液体又は固体を内容物とする容器のキャップのパッキングに用いた際に、発生するガスは逃がすが、液体又は固体は洩らさないようにした通気性パッキングが提案されている。【０００４】しかし、特許文献１の通気性パッキングにおいては、気体流路を有するポリオレフィンからなるパッキング基材に積層する微多孔フィルムについては、非透液性および通気性とのバランスをもたせるように空孔率、透気度、平均孔径を設定作業が必要である。【０００５】また、電解液を有するコンデンサやリチウム電池などの密閉型電気化学デバイスとしては、特許文献２にて、電解コンデンサの封口板に表裏を貫通する貫通孔を形成するとともに、その貫通孔を発泡シリコンゴムで密封し、電解コンデンサの内部で発生したガスのみを透過させ、外部に放出（排出）させて、内圧の上昇を緩和して安全弁動作を遅らせることができ、電解コンデンサの寿命特性の向上を図ることが提案されている。【０００６】しかし、特許文献２の電解コンデンサにおいては、発泡シリコンゴムはガスの透過性が高く、電解液は透過しない性質を利用しているが、電解コンデンサの内部が急激な温度上昇に伴いガスの発生が盛んになることへの配慮が必要である。すなわち高温になってガスの発生に追従してそのガスを電解コンデンサ外へ排出をしなければ、電解コンデンサの安全弁動作を遅らすことができなくなることに対する配慮が必要である。【０００７】また、特許文献３にて、高温下で電池内部の気密性を低下させ電池内部で発生したガスを外部へ散逸させて電池の放電性能の劣化を防ぐために、封口ガスケットの上面と正極端子板の周縁部下面との間に融点が４０から４５℃となるように設定されたパラフィンを含浸したパッキングを挟み込んで耐漏液性能を向上させた乾電池が提案されている。【０００８】しかし、特許文献３においては、低温あるいは常温下ではパラフィンを含浸したパッキングは封口ガスケットの上面と正極端子板の周縁部下面に良好に密着して気密性は高いが、４０℃以上の高温下ではこのパラフィンが溶融して流動し、パッキングと封口ガスケットの上面および正極端子板の周縁部下面の密着性が低下し、この部分の気密性が低下する。その結果、電池内部に発生したガスを外部に散逸させるが、その際、溶融して流動したパラフィンが外部に流出しないようにする配慮が必要である。【０００９】また、特許文献４では、密閉容器に電解液ではなく固体電解質もしくはゲル電解質が収容された薄型電池で、密閉容器本体を樹脂層および金属箔層を含む防湿性多層フィルムでできた外装材とし、熱融着または接着性樹脂により封口されてなるリチウム電池などの薄型電池が提案されている。この薄型電池、高エネルギー密度であるが故に、万が一、内部ショートや外部からの力による破壊等が起こった場合に、短時間にエネルギーを放出して電池が高温になる虞れがあり、電池内部の電解質に含まれる溶媒の蒸気圧の上昇が起こり、電池の内圧が溶媒由来のガスにより高圧になる。そこで、防湿性多層フィルムの内側の樹脂層に切り込みを入れて、電池の内圧が上昇した場合に、この切り込み部分が裂け、線状に開裂して電池内のガスを排出し電池の破裂を防ぐ安全弁を形成している。【００１０】しかし、特許文献４では、外装材が開裂することによる安全弁を用いているので、電池の内圧が上昇して外装材の切り込み部分が裂けるにはその外装材が膨らむほど内圧が上昇する必要があり、ガス発生による電池内圧と外装材の開裂とガス排出との関連を管理して安全にガスを排出する必要がある。また、この外装材の開裂により薄型電池として適正な機能を果たさなくなる。
【先行技術文献】
【特許文献】
【００１１】
【特許文献１】特開２００２−３４７８２１号公報
【特許文献２】特開２００１−１５３９１号公報
【特許文献３】実開昭６２−３１３６９号公報
【特許文献４】特開平１１−３１２５０５号公報
【発明の概要】
【発明が解決しようとする課題】
【００１２】本発明は、上記の問題点を解消するために、内部にガスが発生し、高温になるとガスの発生が盛んになってその発生したガスにより密閉容器内の圧力が上昇する密閉容器において、ガス透過基材と低融点素子を用いて、水分を透過させにくくするとともに発生したガスを密閉容器外に排出できるようにする通気性パッキングを提供することを目的とする。
【課題を解決するための手段】
【００１３】本発明の請求項１に記載の通気性パッキングは、内部にガスが発生し、高温になるとガスの発生が盛んになってその発生したガスにより密閉容器内の圧力が上昇する密閉容器に用いられ、前記密閉容器内の圧力が上昇する過程で前記ガスを前記密閉容器外に排出させる通気性パッキングであって、前記通気性パッキングは上面と下面とが連通して水分およびガスが透過する素材でできたガス透過基材の内部に低融点素子を分散させて、前記低融点素子により水分およびガスを透過させないようにするとともに前記低融点素子を融点以上の温度で溶融させてガスの圧力により前記ガス透過基材の上面と下面とが連通してガスを透過させるガスバイパス路をガス透過基材の内部に発生させてなり、通気孔を有する密閉容器本体の内側に前記通気性パッキングを配設して、前記低融点素子を溶融させないで前記通気孔を閉塞させる状態と前記ガスバイパス路の発生により前記通気孔を開放させる状態との機能を備えたことを特徴とする。同請求項２に記載の発明は、請求項１に記載の通気性パッキングで、前記ガス透過基材の素材は不織布であることを特徴とする。
【発明の効果】
【００１４】本発明の通気性パッキングは、内部にガスが発生し、高温になるとガスの発生が盛んになってその発生したガスにより密閉容器内の圧力が上昇する密閉容器に用いられ、前記密閉容器内の圧力が上昇する過程で前記ガスを前記密閉容器外に排出させる通気性パッキングであって、前記通気性パッキングは上面と下面とが連通して水分およびガスが透過する素材でできたガス透過基材の内部に低融点素子を分散させて、前記低融点素子により水分およびガスを透過させないようにするとともに前記低融点素子を融点以上の温度で溶融させてガスの圧力により前記ガス透過基材の上面と下面とが連通してガスを透過させるガスバイパス路をガス透過基材の内部に発生させてなり、通気孔を有する密閉容器本体の内側に前記通気性パッキングを配設して、前記低融点素子を溶融させないで前記通気孔を閉塞させる状態と前記ガスバイパス路の発生により前記通気孔を開放させる状態との機能を備えることにより、通常は前記通気孔を閉鎖して水分を透過させにくくガスを透過させないようにしており、高温になってガスの発生が盛んになると前記ガスバイパス路を介して前記通気孔を開放してガスを密閉容器内に蓄積しすぎないように前記通気孔から前記ガスを密閉容器外に排出し、温度が低下すると前記ガス透過基材は前記低融点素子により水分およびガスを透過させない状態に復帰して前記通気孔を閉鎖して水分およびガスを透過させないようにすることができる。
【図面の簡単な説明】
【００１５】
【図１】本発明の実施形態１で密閉容器本体に用いる通気性パッキングの構成を拡大した図２に示すＡＡ断面図である。
【図２】図１の平面図である
【図３】本発明の実施形態１で通気性パッキングが融点以上の温度および圧力を受けた状態を示す断面図である。
【図４】本発明の通気性パッキングの低融点素子の部位を拡大した断面図である。
【図５】図４の平面図である。
【図６】本発明の通気性パッキングで低融点素子を溶融させる実験装置の断面図である。
【図７】本発明の低融点素子を溶融させない状態の通気性パッキングを測定顕微鏡で撮影した写真の平面図である。
【図８】本発明の低融点素子を溶融させた状態の通気性パッキングを測定顕微鏡で撮影した写真の平面図である。
【図９】本発明の通気性パッキングを使用した密閉型電気化学デバイスを示す断面図である。
【図１０】本発明の実施形態２で密閉容器本体に用いる通気性パッキングの構成を拡大した図１１に示すＢＢ断面図である。
【図１１】図１０の平面図である。
【図１２】本発明の実施形態３で密閉容器本体に用いる通気性パッキングの構成を拡大した図１３に示すＣＣ断面図である。
【図１３】図１２の平面図である。
【図１４】本発明の実施形態３の通気性パッキングを使用した密閉型電気化学デバイスの異なった実施形態を示す断面図である。
【発明を実施するための形態】
【００１６】（実施形態１）
図１〜図５を参照して、通気性パッキングの構成を説明する。
【００１７】図１および図２において、１は、密閉容器本体の一部を示し、この密閉容器本体１には微細孔でできた通気孔２が形成されている。この通気孔２は密閉容器本体１の内外に貫通した直径が０．５〜１００μｍの断面が円形の孔でできており、水分を透過させにくくガスを透過させるように形成されている。この場合、通気孔２の設定には通気性パッキング３との組み合わせで水分を透過させにくくガスを透過させるように設定してもよい。この密閉容器本体１の内側（図１では下面）には通気性パッキング３が配設されている。この通気性パッキング３はガス透過基材の内部に融点が４０〜１２０℃の低融点素子３Ａを分散させてできている。この場合、ガス透過基材としては厚さが０．２ｍｍ程度の矩形状または円形状のシートで、微細孔もしくは隙間を有し上面と下面とが連通して水分およびガスが透過する素材で、例えば、ガラス繊維材でできた不織布、布、微小な多孔もしくは単孔のフィルム、ペーパなどの素材である。このガス透過基材に低分子量のポリエチレン系ワックス、パラフィンや低融点オレフィン化合物などの低融点素子３Ａを前記微細孔もしくは隙間に充填して低融点素子３Ａがガス透過基材の内部に分散されている。このようにしてできた通気性パッキング３は、一端が開口した有底の筒でできた支持体４の底面の部位（底部）４Ｂに固着されることにより、この通気性パッキング３は支持体４の底部４Ｂを構成して支持体４の内部に空間４Ａが形成されている。この支持体４の形状は一端が開口し、他端の底部４Ｂも開口させておいてこの底部に通気性パッキング３が固着されるように円筒状や角筒状で形成されており、その素材は、水分やガスを透過させないような金属材や合成樹脂材でできている。この支持体４は通気性パッキング３が空間４Ａを介して通気孔２と連通して露出するようにして密閉容器本体１の内側（図１では下面）に固着されている。また、密閉容器本体１の内側には保護シート５が配置されている。この保護シート５はガス透過基材の素材と同様な素材でできた厚さ０．２ｍｍ程度の矩形状または円形状でできており、図１においては、保護シート５は密閉容器本体１の内側（図１では下面）に固着されている。その結果、この保護シート５にて支持体４の一端の開口した部位（開口端）が閉塞されていることを示す。この場合、保護シート５を予め支持体４の前記開口端を閉塞するように固着させておいて、支持体４を保護シート５とともに密閉容器本体１の内側に固着させてもよい。このようにして、通気性パッキング３が密閉容器本体１の内側に空間４Ａを介して固着された通気性パッキングブロック１０が得られ、通気性パッキング３はガス透過基材の内部に低融点素子３Ａを分散させてできているので、この低融点素子３Ａにより水分およびガスを透過させないようにした状態となる。なお、保護シート５は溶融した低融点素子３Ａが密閉本体１の通気孔２に飛散するのを保護することに有用であるが、省いてもよい。
【００１８】次に、図３において、密閉容器本体１の内側に配設された通気性パッキング３が密閉容器内で融点以上の温度および圧力Ｐを受けると、低融点素子３Ａが融点以上の温度で溶融し圧力Ｐを受けてガス透過基材の上面および下面にそれぞれ低融点素子除去部３Ｂおよび３Ｃが形成される。この低融点素子除去部３Ｂと低融点素子除去部３Ｃとは、上述のとおり、上面と下面とが連通して水分およびガスが透過する素材でできたガス透過基材を用いて形成されているので、融点以上の温度および圧力Ｐを受けてガス透過基材の上面と下面とが連通していることを示し、ガス透過基材の内部にガスを透過させるガスバイパス路を発生させて、通気孔２を開放させる状態となった通気性パッキングブロック１０が得られる。
【００１９】図４および５は、上述の図３における通気性パッキング３の低融点素子３Ａの部位の一部を拡大して示し、通気性パッキング３が密閉容器内で融点以上の温度および圧力Ｐを受けると、低融点素子３Ａの一部が融点以上の温度および圧力で上述のとおり溶融状態となり、低融点素子除去部３Ｂと３Ｃが連通して、ガス透過基材の内部にガスバイパス路を発生させる状態になることを示す。
【００２０】図６は、上面と下面とが連通して水分およびガスが透過するガス透過基材の素材としてポリフェニレンサルファイド（ＰＰＳ）不織布を用い、このガス透過基材にパラフィンワックスの低融点素子３Ａを浸透させた厚さ０．２ｍｍのフィルムを通気性パッキング３として用いて、この通気性パッキング３の低融点素子３Ａを溶融させて低融点素子除去部３Ｂおよび３Ｃを形成する実験装置を示す。この実験装置では、温度が８０℃で、圧力Ｐが０．１ＭＰａＧとして設定して、その加熱・加圧空気を下面から上面に向かって送り、通気性パッキング３の上面を測定顕微鏡（株式会社にニコン製測定顕微鏡ＭＭ−８００）Ｃを用いて通気性パッキング３を観察した。
【００２１】図７は低融点素子３Ａが溶融しない状態の通気性パッキング３の上面を測定顕微鏡で観察して得られた写真図で、図８は低融点素子３Ａが溶融して低融点素子除去部３Ｂが形成された状態の通気性パッキング３の上面を測定顕微鏡で観察して得られた写真図である。図８においては、通気性パッキング３の上面に破線○印で囲んだ３箇所のガスバイパス路となる微小径の低融点素子除去部３Ｂを確認できる。
【００２２】（通気性パッキングの水分不透過とガス透過作用の原理）
図１から図５において、通気性パッキングは水分を透過させにくくするように微細孔でできた通気孔２を有する密閉容器本体１に適用し、この通気性パッキングは、微細孔もしくは隙間を有し上面と下面とが連通して水分およびガスが透過する素材でできたガス透過基材を用いており、低融点素子３Ａをこのガス透過基材の微細孔もしくは隙間に充填してガス透過基材の内部に低融点素子３Ａが分散されているので、この低融点素子３Ａが溶融しない温度すなわち常温では低融点素子３Ａがガス透過基材の微細孔もしくは隙間を閉塞して水分およびガスを透過させないようにするガスバリヤとなって、ガス透過基材は密閉容器本体１の通気孔２を閉塞させ、水分およびガスを通気孔２から透過させにくくするように作用する。この作用により、密閉容器は、常温では水分およびガスを透過させにくくしている。次に、密閉容器本体１が低融点素子３Ａの溶融温度すなわち高温になると、この低融点素子３Ａが溶融状態となりガス透過基材の微細孔もしくは隙間から低融点素子３Ａの閉塞作用が弱くなり、この状態でガス圧を受けるとそのガス圧によりガス透過基材の微細孔もしくは隙間から低融点素子３Ａが除去される部位が発生し、この部位（低融点素子除去部）によりガス透過基材の微細孔もしくは隙間が開放されてガス透過基材の内部にガスバイパス路が形成されて、ガス透過基材により閉塞されていた密閉容器本体１の通気孔２を開放させ、通気孔２から水分を透過させにくくガスを透過させるように作用する。次に、密閉容器本体１が低融点素子３Ａの溶融しない温度に低下すると、低融点素子３Ａがガス透過基材の微細孔もしくは隙間を閉塞してガスバリヤとなって、ガス透過基材は密閉容器本体１の通気孔２を閉塞させ、水分およびガスを通気孔２から透過させにくくするような状態に復帰する。このように通気性パッキングを密閉容器本体１の温度や内圧によりガス透過が可能となる。温度によりガスを透過させない状態とガスを透過させる状態との開閉サイクルが得られる。
【００２３】（通気性パッキングの利用）
図９は、本発明の通気性パッキングが用いられる密閉容器本体として、電極素子および電解液を有する密閉型電気化学デバイスの密閉容器に形成して、水蒸気などの水分を透過させないようにして密閉容器内に発生したガスを密閉容器外に排出しやすくする密閉型電気化学デバイスへの利用例を示す。
【００２４】図９において、密閉容器本体１となる蓋体に一対の電極端子１００、１００を並設した密閉型電気化学デバイスを示し、この密閉型電気化学デバイスは電解液１０４を有するコンデンサやリチウム電池などで、円板（楕円を含む）状や矩形状の合成樹脂材でできた蓋体（密閉容器本体１）が開口端のある円筒状または直方体状の箱型ケース１１を閉蓋するように接合部材１２で接合された密閉型電気化学デバイスの密閉容器を構成する。この密閉容器の内部には電極端子１００の接続部１０１、この接続部１０１と電気的に接続されるリード１０２、このリード１０２と電機接続される電極素子部１０３および電解液１０４が密閉されて収容されている。このように、電極素子部１０３および電解液１０４を有するコンデンサやリチウム電池などの密閉型電気化学デバイスにあっては、電解液１０４が外に漏れ出ないように密閉されているので、充放電サイクルを繰り返したり、高温で放置したり、短絡・過充電・逆充電などにより電解液８が分解されて、酸素や二酸化炭素などのガスが発生し、そのガスが蓄積されることにより急激に内圧が上昇して、密閉容器本体１となる蓋体や箱型ケース１１が膨れたり、破裂したりするおそれがある。そこで、発生したガスが密閉容器内に蓄積しすぎないように蓋体（密閉容器本体１に通気孔２を形成しこの蓋体の下面に配置した通気性パッキングブロック１０を用いて、水蒸気などの水分を透過させないようにするとともに、密閉容器内に発生したガスを適宜、通気孔２から密閉容器本体１となる蓋体の外に排出してガスが密閉容器内に蓄積しつづけることを防ぐことができる。なお、上記密閉型電気化学デバイスの密閉容器には図示しないが、密閉容器内の高圧で密閉容器内を開放してガスを排出させる安全弁を併置させてもよい。
【００２５】（実施形態２）
図１０および１１は、実施形態１で説明した通気性パッキングで、水分不透過とガス透過作用の原理にもとづき、通気性パッキングを密閉容器本体に配置させる異なった構成を示す。
【００２６】図１０および１１において、実施形態１と同様な密閉容器本体１の貫通孔でできた通気孔２を有し、この通気孔２には内側（図１０では下部）に径大な空間２Ａが形成されている。密閉容器本体１の通気孔２の上面と下面にはそれぞれ、保護シート６、７が固着されている。これら保護シート６、７の形状は、厚さ０．２ｍｍ程度の矩形状または円形状で、その素材は実施形態１に示す保護シート５のようにガス透過基材の素材と同様な素材でできている。また、この空間２Ａには通気性パッキング３が配設されており、この通気性パッキング３の上面には通気孔２と離間し、下面には保護シート７と離間している。この場合、保護シート６は通気孔２から溶融した低融点素子３Ａが密閉本体１の外部（図１０では上部）に飛散するのを保護し、保護シート７は通気性パッキング３が密閉容器の内部の電解液（図１では密閉容器本体１の下部の電解液）に浸漬されるのを保護することに有用であるが、省いてもよい。
【００２７】このようにして、通気性パッキングブロック１０が得られる。この場合、通気性パッキング３は実施形態１と同様な素材でできており、密閉容器本体１の厚さは大きくなるが、その構成は簡素化ができる。
【００２８】（実施形態３）
図１２および１３は、実施形態１で説明した通気性パッキングの水分不透過とガス透過作用の原理にもとづき、通気性パッキングを密閉容器本体に配置させる異なった構成を示す。
【００２９】図１２および１３において、密閉容器本体１は特許文献４のようなポリプロピレン樹脂等の熱融着樹脂でできた内層１Ａとアルミニウム等の金属箔層１Ｂとポリエチレンテレフタレート樹脂等でできたが外層１Ｃとを積層した防湿性多層フィルムでできている。この密閉容器本体１には、外層１Ｃと金属箔層１Ｂとを貫通するライン状の切込み２Ｂとこの切込み２Ｂに連通して内層１Ａに切り込み２Ｂよりも径大な空間２Ａとからなる通気孔２が形成されている。密閉容器本体１の内側（図１２では下面）にはこの通気孔２を空間２Ａを介して閉塞する実施形態１または２と同様な通気性パッキング３が直接固着されて、通気性パッキングブロック１０が得られる。
【００３０】（通気性パッキングの利用の異なる実施形態）
図１４は、この実施形態３の通気性パッキングを使用した密閉型電気化学デバイスで、通気性パッキングが用いられる密閉容器本体として、電極素子および固体電解質を有する密閉型電気化学デバイスの密閉容器に形成して、水蒸気などの水分を透過させないようにして密閉容器内に発生したガスを密閉容器外に排出しやすくする密閉型電気化学デバイスへの利用例を示す。
【００３１】図１４において、防湿性多層フィルムでできた密閉容器本体１を上側とし同様な防湿性多層フィルムでできた密閉容器本体１１を下側とし、それぞれの端面に電極端子１００、１００を備えるようにして、密閉容器本体１と密閉容器本体１１とを電極端子１００の接続部１０１を介して熱溶着させて密閉容器を構成する。この密閉容器の内部には電極端子１００の接続部１０１と電気的に接続されるリード１０２、このリード１０２と電機接続される電極素子部１０３および固体電解質１０５が密閉されて収容されている。このように、電極素子部１０３および固体電解質１０５を有するリチウム電池などの密閉型電気化学デバイスにあっては、水分およびガスを透過させにくくするように密閉されているので、充放電サイクルを繰り返したり、高温で放置したり、短絡・過充電・逆充電などにより固体電解質１０５の溶媒が分解されて、ガスが発生し、そのガスが蓄積されることにより急激に内圧が上昇して、密閉容器本体１と密閉容器本体１１とからなる密閉容器が膨れたり、破裂したりするおそれがある。そこで、発生したガスが密閉容器内に蓄積しすぎないように密閉容器本体１に通気孔２を形成しこの密閉容器本体１の下面に通気性パッキング３を配置した通気性パッキングブロック１０を用いて、水蒸気などの水分を透過させないようにしたり、密閉容器内に発生したガスを適宜、通気孔２から密閉容器の外に排出したりしてガスが密閉容器内に蓄積しつづけることを防ぐことができる。
【００３２】なお、実施形態１から３において、ガス透過基材の内部に分散させた低融点素子３Ａがガス透過基材の微細孔もしくは隙間を温度により閉塞してガスバリヤとしたり、開放してガスバイパス路としたり、ガスバリヤに復帰したりする作用ができるようにガス透過基材の微細孔もしくは隙間と低融点素子３Ａの分散の配分とを考慮する必要があり、その考慮に際しては、保護シートの有無や容器本体内のガス圧などで低融点素子３Ａが密閉容器外に飛散しないように設定することも必要である。
【００３３】また、前記通気性パッキングは、図示しないが、微細孔でできた通気孔２を有する密閉容器本体１の上面すなわち密閉容器本体１の外側に配設させてもよい。
【産業上の利用可能性】
【００３４】本発明の通気性パッキングは、内部にガスが発生する密閉容器が高温になりガスの発生が盛んになってその発生したガスにより密閉容器内の圧力が上昇する密閉容器に用いられ、特に密閉容器内に電解液や固体電解質を有するコンデンサやリチウム電池などの密閉型電気化学デバイスとして有用である。
【符号の説明】
【００３５】  １  密閉容器本体
２  通気孔
３  通気性パッキング
３Ａ  低融点素子
【手続補正３】
【補正対象書類名】図面
【補正対象項目名】図４
【補正方法】変更
【補正の内容】
【図４】
2017220656.tif 000001
【手続補正４】
【補正対象書類名】図面
【補正対象項目名】図１３
【補正方法】変更
【補正の内容】
【図１３】
2017220656.tif 000002